(57)【要約】【課題】システムのコストアップを極力抑えた上で文字スーパー素材を放送できるようにする。【解決手段】外部の制作端末もしくは端末１４により制作された文字スーパー素材のデータをＣＰＵ１３３のデジタル変換機能１３３１によりデジタル放送規格に準拠したデジタルデータに変換し、文字スーパー送出機能１３３２にてデジタルデータからＴＳヘッダの内容を算出した後、このＴＳヘッダの内容を出力バッファ１３５に書き込むとともにデジタルデータを出力バッファ１３５に書き込むことでＴＳデータ、つまりデジタル文字放送信号を生成する。【選択図】　　図２
2004007159.tif 000002
【特許請求の範囲】
【請求項１】
番組の素材を示す素材情報を含んだデジタル放送の番組情報信号に、少なくとも前記番組の素材と共に表示すべき文字素材のデータを含む情報領域と前記文字素材を受信機に表示させるに必要な表示制御データを含むヘッダ領域とを備えデジタル放送で規格化されたデジタル文字放送信号を多重して送出するデジタル放送番組送出装置に適用され、前記番組とは独立し、かつ前記文字素材の中で最高優先順位を示す文字スーパー素材情報を前記デジタル文字放送信号に変換して送出するデジタル文字放送信号送出装置であって、
入力される前記文字スーパー素材情報を前記情報領域へのデータに変換する情報領域データ変換手段と、
この情報領域データ変換手段の出力から前記ヘッダ領域へのデータを生成し、この生成したヘッダ領域のデータ及び前記情報領域のデータを前記デジタル文字放送信号として出力するデジタル文字放送信号出力手段とを具備したことを特徴とするデジタル文字放送信号送出装置。
【請求項２】
前記デジタル文字放送信号出力手段は、外部から入力される指示信号に応じて、前記情報領域データ変換手段の出力から前記ヘッダ領域へのデータを生成し、この生成したヘッダ領域のデータ及び前記情報領域のデータを前記デジタル文字放送信号として出力することを特徴とする請求項１記載のデジタル文字放送信号送出装置。
【請求項３】
前記デジタル文字放送信号出力手段は、運用者の指定操作に応じて、前記情報領域データ変換手段の出力から前記ヘッダ領域へのデータを生成し、この生成したヘッダ領域のデータ及び前記情報領域のデータを前記デジタル文字放送信号として出力することを特徴とする請求項１記載のデジタル文字放送信号送出装置。
【請求項４】
前記デジタル文字放送信号出力手段は、
外部から入力される指示信号に応じて、前記情報領域データ変換手段の出力から前記ヘッダ領域へのデータを生成し、この生成したヘッダ領域のデータ及び前記情報領域のデータを前記デジタル文字放送信号として出力する第１の処理手段と、
運用者の指定操作に応じて、前記情報領域データ変換手段の出力から前記ヘッダ領域へのデータを生成し、この生成したヘッダ領域のデータ及び前記情報領域のデータを前記デジタル文字放送信号として出力する第２の処理手段と、
運用者の指定操作に応じて、前記第１及び第２の処理手段を選択的に実行させる処理選択制御手段とを備えたことを特徴とする請求項１記載のデジタル文字放送信号送出装置。
【請求項５】
前記デジタル文字放送信号出力手段は、タイマと、前記情報領域データ変換手段により変換された文字スーパー素材のデータを時刻情報に対応付けて格納する素材記憶手段とを備え、前記タイマにより計時される時刻情報と前記素材記憶手段に記憶された時刻情報とを比較し、一致した場合に該当する文字スーパー素材のデータを前記素材記憶手段から読み出してそのデータから前記ヘッダ領域のデータを生成し、該ヘッダ領域のデータ及び前記情報領域のデータを送出することを特徴とする請求項１記載のデジタル文字放送信号送出装置。
【請求項６】
前記デジタル文字放送信号出力手段による前記デジタル文字放送信号の送出に先立ち、該デジタル文字放送信号出力手段の出力結果を提示する第１の提示手段をさらに備えたことを特徴とする請求項１記載のデジタル文字放送信号送出装置。
【請求項７】
前記デジタル文字放送信号出力手段による前記デジタル文字放送信号の送出後に、その送出結果を提示する第２の提示手段をさらに備えたことを特徴とする請求項１記載のデジタル文字放送信号送出装置。
【請求項８】
番組の素材を示す素材情報を含んだデジタル放送の番組情報信号に、少なくとも前記番組の素材と共に表示すべき文字素材のデータを含む情報領域と前記文字素材を受信機に表示させるに必要な表示制御データを含むヘッダ領域とを備えデジタル放送で規格化されたデジタル文字放送信号を多重して送出するデジタル放送番組送出装置に適用され、前記番組とは独立し、かつ前記文字素材の中で最高優先順位を示す文字スーパー素材情報を前記デジタル文字放送信号に変換して送出するデジタル文字放送信号送出方法において、
入力される前記文字スーパー素材情報を前記情報領域へのデータに変換する第１の過程と、
この第１の過程により得られた情報領域のデータから前記ヘッダ領域へのデータを生成し、この生成したヘッダ領域のデータ及び前記情報領域のデータを前記デジタル文字放送信号として出力する第２の過程とを具備したことを特徴とするデジタル文字放送信号送出方法。
【発明の詳細な説明】
【０００１】
【発明の属する技術分野】
この発明は、デジタル放送の番組情報信号を送出するデジタル放送番組送出装置に適用され、特に速報情報といった文字スーパー素材情報を番組情報信号に多重すべきデジタル放送用フォーマットに変換して送出するためのデジタル文字放送信号送出装置及びデジタル文字放送信号送出方法に関する。
【０００２】
【従来の技術】
近年、デジタル放送技術の確立に伴い、通信衛星や放送衛星を使用する衛星放送システムではデジタル放送が開始され、さらに地上波放送システムにおいてもデジタル放送への移行が計画されている。
【０００３】
ここで、上記デジタル放送では、既にアナログ放送で実施されているように、放送信号中に、文字や図形などによる文字放送データを多重して伝送する文字多重放送を行なうことが一つの課題となっており、中でも地震情報等の文字スーパー素材の放送が重要視されている。
【０００４】
ところが、上記デジタル放送では、アナログ放送で実施していた文字多重技術をそのまま適用することができない。このため、文字スーパー素材の放送については、まだ検討段階であり実現されていないのが現状である。
【０００５】
【発明が解決しようとする課題】
以上のように、デジタル放送においては、文字スーパー素材の放送についての実現手段が未だ開発されていない。
この発明の目的は、デジタル放送番組送出システムにあって、システムのコストアップを極力抑えた上で速報情報といった文字スーパー素材を放送できるようにしたデジタル文字放送信号送出装置及びデジタル文字放送信号送出方法を提供することにある。
【０００６】
【課題を解決するための手段】
この発明は、上記目的を達成するために、以下のように構成される。
（１）番組の素材を示す素材情報を含んだデジタル放送の番組情報信号に、少なくとも番組の素材と共に表示すべき文字素材のデータを含む情報領域と文字素材を受信機に表示させるに必要な表示制御データを含むヘッダ領域とを備えデジタル放送で規格化されたデジタル文字放送信号を多重して送出するデジタル放送番組送出装置に適用され、番組とは独立し、かつ文字素材の中で最高優先順位を示す文字スーパー素材情報をデジタル文字放送信号に変換して送出するデジタル文字放送信号送出装置であって、
入力される文字スーパー素材情報を情報領域へのデータに変換する情報領域データ変換手段と、この情報領域データ変換手段の出力からヘッダ領域へのデータを生成し、この生成したヘッダ領域のデータ及び情報領域のデータをデジタル文字放送信号として出力するデジタル文字放送信号出力手段とを備えるようにしたものである。
【０００７】
（１）の発明によれば、既知のアナログ放送向け文字スーパー素材制作手段により制作された文字スーパー素材をデジタル放送規格に準拠した情報領域へのデータに変換し、この情報領域のデータ内容からヘッダ領域へのデータを生成した後、このヘッダ領域のデータ及び情報領域のデータを出力することでデジタル文字放送信号を生成するようにしている。すなわち、既知のアナログ文字素材制作端末により制作された文字スーパー素材を、デジタル放送用フォーマットに変換する機能を実現することが可能となる。
【０００８】
このため、アナログ文字素材制作端末で制作された文字スーパー素材を、デジタル放送用フォーマットに変換するのみであるので、別途専用のデジタル文字素材制作端末を用意することなく、また、一からデジタル放送用フォーマットの文字スーパー素材を制作する必要がなくなる分、制作側の処理負担及び経済的負担の軽減化を図ることができる。
【０００９】
（２）デジタル文字放送信号出力手段は、運用者の指定操作に応じて、情報領域データ変換手段の出力からヘッダ領域へのデータを生成し、この生成したヘッダ領域のデータ及び情報領域のデータをデジタル文字放送信号として出力することを特徴とする。
（２）の発明によれば、文字スーパー素材を送出する際に、運用者が自身でその素材を送出する必要があるか否かを判断して指示することができ、これにより真に必要な文字スーパー素材のみを送出することが可能となる。
【００１０】
（３）デジタル文字放送信号出力手段は、外部から入力される指示信号に応じて、情報領域データ変換手段の出力からヘッダ領域へのデータを生成し、この生成したヘッダ領域のデータ及び情報領域のデータをデジタル文字放送信号として出力することを特徴とする。
（３）の発明によれば、指示信号に従って、文字スーパー素材の送出を運用者の手動操作を介することなく自動的に行なうことが可能となる。
【００１１】
（４）デジタル文字放送信号出力手段は、外部から入力される指示信号に応じて、情報領域データ変換手段の出力からヘッダ領域へのデータを生成し、この生成したヘッダ領域のデータ及び情報領域のデータをデジタル文字放送信号として出力する第１の処理手段と、運用者の指定操作に応じて、情報領域データ変換手段の出力からヘッダ領域へのデータを生成し、この生成したヘッダ領域のデータ及び情報領域のデータをデジタル文字放送信号として出力する第２の処理手段と、運用者の指定操作に応じて、第１及び第２の処理手段を選択的に実行させる処理選択制御手段とを備えたことを特徴とする。
【００１２】
（４）の発明によれば、例えば文字スーパー素材ごとに処理モードを設定しておくことで、ある文字スーパー素材については運用者自身が必要と判断した場合にのみ送出し、一方別の文字スーパー素材については外部から与えられる指示信号に従って送出するというように、文字スーパー素材ごとに最適な送出を行なうことができる。
【００１３】
（５）デジタル文字放送信号出力手段は、タイマと、送出すべき情報領域に入れる文字スーパー素材のデータを時刻情報に対応付けて格納する素材記憶手段とを備え、タイマにより計時される時刻情報と素材記憶手段に記憶された時刻情報とを比較し、一致した場合に該当する文字スーパー素材のデータを前記記憶手段から読み出してそのデータからヘッダ領域のデータを生成し、該ヘッダ領域のデータ及び情報領域のデータを送出することを特徴とする。
【００１４】
（５）の発明によれば、時間的要素のある文字スーパー素材のデータを時刻情報に対応付けて記憶しておき、この記憶した時刻情報とタイマで計時される時刻情報とを比較することで文字スーパー素材を送出すべき時刻であるか否かが判定され、送出すべき時刻になった場合に、該当する文字スーパー素材のデータが自動的に送出される。従って、送出予定の文字スーパー素材を記憶しておくことで、時刻ごとに、その文字スーパー素材を運用者の手動操作を介することなく送出することができる。
【００１５】
（６）デジタル文字放送信号出力手段によるデジタル文字放送信号の送出に先立ち、該デジタル文字放送信号出力手段の出力結果を提示する第１の提示手段をさらに備えたことを特徴とする。
（６）の発明によれば、デジタル文字放送信号の送出に先立ち、運用者により送出すべき文字スーパー素材の内容がチェックされ、これにより誤送出を未然に防ぐことができる。
【００１６】
（７）デジタル文字放送信号出力手段によるデジタル文字放送信号の送出後に、その送出結果を提示する第２の提示手段をさらに備えたことを特徴とする。
（７）の発明によれば、デジタル文字放送信号の送出後に、運用者は提示された送出結果に基づいて正しく送出されたか否かを確認することができる。また、その際に送出結果に加えて、その理由を運用者に通知するようにすれば、送出できなかった場合に運用者はその原因を把握して適切なやり直し操作等を行なうことが可能となる。
【００１７】
【発明の実施の形態】
以下、この発明の実施形態について図面を参照して詳細に説明する。
図１は、この発明に係るデジタル文字放送信号送出装置の一実施形態を適用した場合のデジタル放送番組送出システムの構成を示すブロック図である。
この図１のデジタル放送番組送出システムは、エンコーダ（ＥＮＣ）１１，１２と、文字スーパー素材送出装置１３と、端末１４と、マルチプレクサ（ＭＵＸ）１５とを備えている。
【００１８】
エンコーダ１１は、放送番組の映像信号をＭＰＥＧ（Ｍｏｖｉｎｇ　Ｐｉｃｔｕｒｅ　Ｅｘｐｅｒｔｓ　Ｇｒｏｕｐ）規格の符号化方式で圧縮符号化してＴＳ（Ｔｒａｎｓｐｏｒｔ　Ｓｔｒｅａｍ）データを生成し、マルチプレクサ１５に出力する。エンコーダ１２は、音声信号をＡＡＣ（Ａｄｖａｎｃｅｄ　Ａｕｄｉｏ　Ｃｏｄｉｎｇ）符号化方式で圧縮符号化してＴＳデータを生成し、マルチプレクサ１３に出力する。
【００１９】
文字スーパー送出装置１３は、端末１４もしくは外部の制作端末により制作され、かつ上記放送番組とは独立した速報情報を示す文字スーパー素材のデータをＴＳデータに変換してマルチプレクサ１５に出力する。
マルチプレクサ１５は、各エンコーダ１１，１２の出力と、文字スーパー素材送出装置１３の出力とを多重化し、放送用のＴＳとして送出する。
【００２０】
図２は、この発明の一実施形態とする文字スーパー素材送出装置１３の構成を示すブロック図である。
図２において、データバス１３１上には入力インタフェース（入力Ｉ／Ｆ）１３２、ＣＰＵ１３３、ＲＡＭ１３４、出力バッファ１３５、時刻対応素材メモリ１３６、処理モード切替部１３７が接続される。また、出力バッファ１３５には、出力インタフェース（出力Ｉ／Ｆ）１３８が接続されている。さらに、ＣＰＵ１３３には、上記端末１４及びタイマ１３９が接続されている。
【００２１】
ＣＰＵ１３３は、デジタル変換機能１３３１と、文字スーパー送出機能１３３２とを備えている。このうちデジタル変換機能１３３１は、入力インタフェース１３２を介して入力された文字スーパー素材のデータまたは端末１４により制作された文字スーパー素材のデータを、デジタル放送規格に準拠したデジタルデータに変換して、ＲＡＭ１３４の然るべき領域に記憶する。
【００２２】
文字スーパー送出機能１３３２は、処理モード切替部１３７により自動モードに設定されている場合に、自動番組送出制御装置（図示せず）から与えられる指示信号に応じて、ＲＡＭ１３４からデジタルデータを取り込み、そのデジタルデータの解析処理、ＴＳヘッダの内容算出を行なって、出力バッファ１３５にＴＳヘッダの内容を書き込み、その後にＴＳヘッダに続くデジタルデータを書き込む。また、処理モード切替部１３７により手動モードに設定されている場合に、運用者の指定操作に応じて、ＲＡＭ１３４からデジタルデータを取り込み、そのデジタルデータの解析処理、ＴＳヘッダの内容算出を行なって、出力バッファ１３５にＴＳヘッダの内容を書き込み、その後にＴＳヘッダに続くデジタルデータを書き込む。なお、ＴＳヘッダには、文字スーパー素材のデータを受信機に表示させるために必要な表示制御データが含まれている。
【００２３】
出力バッファ１３５は、ＴＳヘッダ及びデジタルデータを格納することでＴＳデータを生成し、適宜出力インタフェース１３８を介して出力する。
また、ＣＰＵ１３３は、外部からの指示により、時刻指定がなされた文字スーパー素材のデジタルデータを時刻対応素材メモリ１３６に指定時刻とともに登録しておき、タイマ１３９により指定時刻が計時された時点で、時刻対応素材メモリ１３６から該当するデジタルデータを取り込み、そのデジタルデータの解析処理、ＴＳヘッダの内容算出を行なって、出力バッファ１３５にＴＳヘッダの内容を書き込み、その後にＴＳヘッダに続くデジタルデータを書き込む。
【００２４】
さらに、ＣＰＵ１３３は、手動モード設定時に、ＴＳデータの送出に先立ち、デジタルデータの内容を端末１４に送出して報知させる。また、ＴＳデータの送出結果も、端末１４に送出して報知させる。
なお、上記処理モード切替部１３７は、運用者の指定操作により、手動モード及び自動モードのうちのいずれかに設定可能である。
【００２５】
上記構成において、以下にその処理動作を説明する。
外部の制作端末もしくは端末１４により制作される文字スーパー素材のデータは、図３に示す如く、地震情報といった文字放送の中で最高優先順位を示す速報情報を映像に関係無くテレビジョン受信機に表示するためのデータである。
【００２６】
上記文字スーパー素材のデータが入力インタフェース１３２に入力されると、ＣＰＵ１３３は図４に示すような制御処理を開始する。
まず、この制御処理を開始すると、ＣＰＵ１３３は外部の制作端末もしくは端末１４からの素材データ入力の確認を行ない（ステップＳＴ４ａ）、素材データが有るか否かの判断を行なう（ステップＳＴ４ｂ）。ここで、素材データが有るならば（Ｙｅｓ）、ＣＰＵ１３３は素材データをＴＳデータに変換して送出する（ステップＳＴ４ｃ）。
【００２７】
図５は、上記ステップＳＴ４ｃの詳細な制御処理を示すフローチャートである。ここでは、処理モード切替部１３７が自動モードに設定されている場合を説明する。
ＣＰＵ１３３は、入力された素材データをデジタル放送規格に準拠したデジタルデータに変換してＲＡＭ１３４に格納し（ステップＳＴ５ａ）、続いて指示信号入力の確認を行ない（ステップＳＴ５ｂ）、指示信号の旨が送出を示すか否かの判断を行なう（ステップＳＴ５ｃ）。
【００２８】
ここで送出を示す場合に（Ｙｅｓ）、ＣＰＵ１３３はＲＡＭ１３４に格納されたデジタルデータからＴＳヘッダの内容を算出して、その内容を出力バッファ１３５に書き込み、続いてデジタルデータを出力バッファ１３５に書き込み、ＴＳデータとして送出させる（ステップＳＴ５ｄ）。
【００２９】
以後、ＣＰＵ１３３は、ＴＳデータの送出が完了したか否かの判断を行ない（ステップＳＴ５ｅ）、完了するまで上記ステップＳＴ５ｂ乃至ステップＳＴ５ｅの処理を繰り返し実行する。そして、完了したならば（Ｙｅｓ）、上記ステップＳＴ４ａの処理に移行する。
一方、上記ステップＳＴ５ｃにおいて、指示信号の旨が停止を示すならば（Ｎｏ）、ＣＰＵ１３３はＴＳデータの送出停止処理を実行し（ステップＳＴ５ｆ）、上記ステップＳＴ４ａの処理に移行する。
【００３０】
また、上記処理と並行して、ＣＰＵ１３３は、時刻対応素材メモリ１３６中の指定時刻とタイマ１３９により計時される時刻とを比較し、一致した時点で、時刻対応素材メモリ１３６から該当する文字スーパー素材のデジタルデータを読み出し、そのデジタルデータからＴＳヘッダの内容を算出して出力バッファ１３５に書き込むとともに、当該デジタルデータを出力バッファ１３５に書き込んでＴＳデータとして送出させる。なお、この時刻対応素材メモリ１３６中の文字スーパー素材のデジタルデータには、番組予告等がある。
【００３１】
以上のように上記実施形態では、外部の制作端末もしくは端末１４により制作された文字スーパー素材のデータをＣＰＵ１３３のデジタル変換機能１３３１によりデジタル放送規格に準拠したデジタルデータに変換し、文字スーパー送出機能１３３２にてデジタルデータからＴＳヘッダの内容を算出した後、このＴＳヘッダの内容を出力バッファ１３５に書き込むとともにデジタルデータを出力バッファ１３５に書き込むことでＴＳデータを生成するようにしている。
【００３２】
従って、既知のアナログ文字素材制作端末により制作された文字スーパー素材を、デジタル放送用フォーマットに変換する機能を実現することができるので、別途専用のデジタル文字素材制作端末を用意することなく、また、一からデジタル放送用フォーマットの文字スーパー素材を制作する必要がなくなる分、制作側の処理負担及び経済的負担の軽減化を図ることができる。
【００３３】
また、上記実施形態によれば、処理モード切替部１３７を手動モードに設定することで、文字スーパー素材のＴＳデータを送出する際に、運用者が自身でその素材を送出する必要があるか否かを判断して指示することができ、これにより真に必要な文字スーパー素材のＴＳデータのみを送出することができる。
【００３４】
また、上記実施形態によれば、処理モード切替部１３７を自動モードに設定することで、自動番組送出制御装置から与えられる指示信号に従って、文字スーパー素材のＴＳデータの送出を運用者の手動操作を介することなく自動的に行なうことができる。
このように、文字スーパー素材ごとに処理モードを設定しておくことで、ある文字スーパー素材については運用者自身が必要と判断した場合にのみ送出し、一方別の文字スーパー素材については自動番組送出制御装置から与えられる指示信号に従って送出するというように、文字スーパー素材ごとに最適な送出を行なうことができる。
【００３５】
また、上記実施形態では、番組予告といった時間的要素のある文字スーパー素材のデジタルデータを時刻情報に対応付けて時刻対応素材メモリ１３６に記憶しておくようにし、ＣＰＵ１３３は時刻対応素材メモリ１３６に記憶された時刻情報とタイマで計時される時刻とを比較することで文字スーパー素材を送出すべき時刻であるか否かを判定し、送出すべき時刻になった場合に、該当する文字スーパー素材のデータを自動的に送出するようにしている。従って、送出予定の文字スーパー素材を記憶しておくことで、時刻ごとに、その文字スーパー素材を運用者の手動操作を介することなく送出することができる。
【００３６】
さらに、上記実施形態によれば、文字スーパー素材のＴＳデータの送出に先立ち、そのＴＳデータが端末１４に送出されて報知されることになるので、運用者により送出すべき文字スーパー素材の内容がチェックされ、これにより誤送出を未然に防ぐことができる。
また、文字スーパー素材のＴＳデータの送出後に、そのＴＳデータの送出結果が端末１４に送出されて報知されることになるので、運用者は報知された送出結果に基づいて正しく送出されたか否かを確認することができる。また、その際に送出結果に加えて、その理由を運用者に通知するようにすれば、送出できなかった場合に運用者はその原因を把握して適切なやり直し操作等を行なうことが可能となる。
【００３７】
なお、この発明は上記実施形態に限定されるものではない。例えば、上記実施形態では、ＭＰＥＧ規格のＴＳデータを取り扱う例について説明したが、ＭＰＥＧ以外のデジタル文字放送信号を取り扱うようにしてもよい。
その他、局内システムの構成、文字スーパー素材送出装置の構成、ＣＰＵによる処理手順、文字スーパー素材の種類等についても、この発明の要旨を逸脱しない範囲で種々変形して実施できる。
【００３８】
【発明の効果】
以上詳述したようにこの発明によれば、デジタル放送番組送出システムにあって、システムのコストアップを極力抑えた上で速報情報といった文字スーパー素材を放送できるようにしたデジタル文字放送信号送出装置及びデジタル文字放送信号送出方法を提供することができる。
【図面の簡単な説明】
【図１】この発明に係るデジタル文字放送信号送出装置が適用される局内システムの一実施形態を示すブロック図。
【図２】この発明の一実施形態とする文字スーパー素材送出装置の構成を示すブロック図。
【図３】文字スーパー素材の表示内容を示す図。
【図４】上記図２に示したＣＰＵの処理動作を説明するために示すフローチャート。
【図５】上記図４に示したステップＳＴ４ｃの詳細な処理動作を説明するために示すフローチャート。
【符号の説明】
１１，１２…エンコーダ（ＥＮＣ）、
１３…文字スーパー素材送出装置、
１４…端末、
１５…マルチプレクサ（ＭＵＸ）、
１３１…データバス、
１３２…入力インタフェース（入力Ｉ／Ｆ）、
１３３…ＣＰＵ、
１３４…ＲＡＭ、
１３５…出力バッファ、
１３６…時刻対応素材メモリ、
１３７…処理モード切替部、
１３８…出力インタフェース（出力Ｉ／Ｆ）、
１３９…タイマ、
１３３１…デジタル変換機能、
１３３２…文字スーパー送出機能。
【図１】
2004007159.tif 000003
【図２】
2004007159.tif 000004
【図３】
2004007159.tif 000005
【図４】
2004007159.tif 000006
【図５】
2004007159.tif 000007